(57)【要約】      （修正有）【課題】無限に組み立てを延伸できる組立式家具を提供する。【解決手段】少なくとも四つのプレート２０、少なくとも４本の方形軸管１０、及び少なくとも一つの収容空間１を包含し、プレート２０の左側端面と右側端面に、対応形態の前係止部品と後係止部品を設け、方形軸管１０の上下左右に、それぞれ上下左右の四つのプレート２０を接合し、且つ四つのプレートの前係止部品と後係止部品をそれぞれ方形軸管１０に設けた対応する穿孔に通し、方形軸管１０の前端に接続した前固定部品で各プレート２０の前係止部品を締めつけ、方形軸管１０の後端に接続した後固定部品で各プレート２０の後係止部品を締めつけることで、各プレート２０と該方形軸管１０を緊密に接続する。【選択図】図１
2015100698.tif 000002
【特許請求の範囲】
【請求項１】
組立式家具において、少なくとも四つのプレート、少なくとも４本の方形軸管で構成された少なくとも一つの収容空間を具えた棚を包含し、
該プレートの左側端面と右側端面に、対応形態の前係止部品と後係止部品が設けられ、該前係止部品と該後係止部品にそれぞれ環状溝が設置され、並びに該環状溝の外端に頭部が形成され、
該方形軸管内に、前隔板と後隔板が設置され、該前隔板と該後隔板の中央に、それぞれネジ孔が設置され、該前隔板のネジ孔には前固定部品が螺合され、該前固定部品は該方形軸管の前端開口を封じることができ、該後隔板のネジ孔には後固定部品が螺合され、該後固定部品は該方形軸管の後端開口を封じることができ、該方形軸管の内部の、該前隔板の前方の空間は、第１取り付け室とされ、該方形軸管内部の、該後隔板の後方の空間は、第２取り付け室とされ、該第１取り付け室の四つの周壁には、上下左右が相互に対応する形態で、それぞれ穿孔が設けられ、上下左右のプレートの対応する前係止部品を貫通させ、該第２取り付け室の四つの周壁には、上下左右が相互に対応する形態で、それぞれ穿孔が設けられ、上下左右のプレートの対応する後係止部品を貫通させ、
該前固定部品に該方形軸管の前端開口を封じることができる前蓋板と、該前蓋板を貫通するネジ釘が設けられ、該前蓋板の内側面に、上下左右の四つのＵ形係止片が設置され、該前固定部品のネジ釘が、該方形軸管内の前隔板のネジ孔内にねじ込まれ、該前蓋板に該方形軸管の前端開口を封じさせると同時に、該前蓋板の内側面の四つのＵ形係止片が、それぞれ該上下左右のプレートの前係止部品の環状溝内に嵌入し、該前係止部品を締めつけ、
該後固定部品に該方形軸管の後端開口を封じることができる後蓋板と、該後蓋板を貫通するネジ釘が設けられ、該後蓋板の内側面に、上下左右の四つのＵ形係止片が設置され、該後固定部品のネジ釘が、該方形軸管内の後隔板のネジ孔内にねじ込まれ、該後蓋板に該方形軸管の後端開口を封じさせると同時に、該後蓋板の内側面の四つのＵ形係止片が、それぞれ該上下左右のプレートの後係止部品の環状溝内に嵌入し、該後係止部品を締めつけ、該方形軸管を各プレートに固定することを特徴とする、組立式家具。
【請求項２】
請求項１記載の組立式家具において、該収容空間は四つの隅部に設置された四つの方形軸管、及び該四つの方形軸管の間に設置された四つのプレートの内部に局限された方形空間であることを特徴とする、組立式家具。
【請求項３】
請求項２記載の組立式家具において、さらに少なくとも一つの背板を包含し、該背板は上述の収容空間の後方開口を封じ、該背板の内面の四つの隅部に接近するところに、それぞれＬ形位置決めブロックが固定され、該背板は該四つのＬ形位置決めブロックにより該収容空間の四つの隅部の内壁面に当接し位置決めされ、前述の後固定部品の後蓋板の四つの隅部にそれぞれ凹口が設けら、前述の背板の四つの隅部はそれぞれ対応する後固定部品の後蓋板の凹口内に挿入され、該四つの後固定部品の後蓋板の、該背板の四つの隅部に対する制圧により、該背板が固定されることを特徴とする、組立式家具。
【請求項４】
請求項３記載の組立式家具において、該背板と該Ｌ形位置決めブロックはプラスチック射出一体成形されることを特徴とする、組立式家具。
【請求項５】
請求項３記載の組立式家具において、各該収容空間内に、さらに左側プレートに平らに当接する左取り付け板と、右側プレートに平らに当接する右取り付け板が増設され、該左取り付け板と右取り付け板上に、選択的に引き出しレールが取り付けられるか、或いは、ドア用の枢接部品が取り付けられることを特徴とする、組立式家具。
【請求項６】
請求項５記載の組立式家具において、該ドア用の枢接部品の数量は二つとされ、選択的に該左取り付け板の上面と底面、或いは右取り付け板の上面と底面に取り付けられ、二つの該枢接部品にそれぞれ凸軸が設置されて、該ドアの上面と底面に設けられた凹孔内に挿入できることを特徴とする、組立式家具。
【請求項７】
請求項４記載の組立式家具において、該背板の内面の各位置決めブロックそれぞれに、該収容空間の両側のプレートに平行な凸片が設けられ、該収容空間の左側プレートの位置決めブロック上の凸片と該左側プレートの間の間隙に、該左取り付け板を挿入し位置決めでき、該収容空間の右側プレートの位置決めブロック上の凸片と該右側プレートの間の間隙に、該右取り付け板を挿入し位置決めでき、四つの位置決めピンが四つの該凸片に設けられた穿孔に通されて、該左取り付け板と該右取り付け板上の対応する凹孔内に挿入されて、該左取り付け板と該右取り付け板の移動が防止されることを特徴とする、組立式家具。
【請求項８】
請求項６記載の組立式家具において、該左取り付け板の前端と該右取り付け板の前端の間に支持ロッドが設置され、該左取り付け板の前端と該右取り付け板の前端の距離が不変とされたことを特徴とする、組立式家具。
【請求項９】
請求項７記載の組立式家具において、該左取り付け板と該右取り付け板の上端に、対応する形態の凹口が設けられ、該支持ロッドの両端にそれぞれ凸部が設けられ、該凸部が該左取り付け板と該右取り付け板の上端の凹口内に挿入されることを特徴とする、組立式家具。
【請求項１０】
請求項８記載の組立式家具において、該支持ロッドの上面は該収容空間の上プレートに当接し、且つその前端は該左取り付け板、右取り付け板の前端に揃えられることを特徴とする、組立式家具。
【請求項１１】
請求項１記載の組立式家具において、該方形軸管の前隔板と後隔板の間の部分は破口を具えた非管状とされたことを特徴とする、組立式家具。
【請求項１２】
請求項１記載の組立式家具において、該方形軸管はプラスチック射出成形され、該方形軸管上に、金属製の該前隔板と金属製の該後隔板をそれぞれ挿入、位置決めするための二つの嵌め溝が形成されることを特徴とする、組立式家具。
【請求項１３】
請求項１記載の組立式家具において、該前固定部品と該後固定部品のネジ釘の頭部は内六角孔を有し、該前固定部品の前蓋板と該後固定部品の後蓋板中央に、ネジ釘を貫通させるための魚眼孔が設けられ、これにより該ネジ釘の頭部が該魚眼孔内に隠されることを特徴とする、組立式家具。
【請求項１４】
請求項１３記載の組立式家具において、該前固定部品と後固定部品のネジ釘に、内径が該ネジ釘の外径とほぼ同じ脱落防止リングが嵌合され、且つ該ネジ釘の軸に少なくとも一つの凸点が凸設され、これにより脱落防止リングの脱落が防止されることを特徴とする、組立式家具。
【請求項１５】
請求項１記載の組立式家具において、該プレートの前係止部品と後係止部品の、該プレートに埋め込まれる部分に、タッピンネジがあり、且つ外径は、内から外に漸増し、該前係止部品と後係止部品がそれぞれ強制的に、該プレートに設けられた所定深さの孔内にねじ込まれ、該プレート上に固定されることを特徴とする、組立式家具。
【発明の詳細な説明】
【技術分野】
【０００１】
本発明は一種の組立式家具に係り、特に、多数の、上下左右のプレートに対して鉛直或いは水平に接続される方形軸管により、異なる形状、サイズに組み合わせられる組立式家具に関する。
【背景技術】
【０００２】
一般家庭或いはオフィスには、物品を収納するために、いずれもキャビネットが設けられている。キャビネットの分解、組み立てが簡単でなければ、搬送上の困難性が増す。一般には一種の組立式家具があり、環境空間に応じて適当な大きさ、形状のキャビネットを設計することができる。このような組立式家具の全ての部品は、いずれも規格化され、大量生産でき、製造コストを減らせる。このような組立式家具は、容易に分解組み立てが行なえ、経常的に引っ越す人に適合する。
【０００３】
市販の組立式棚のほとんどは、固定部品を利用して、直立するプレートと水平のプレートを一体に固定しており、構造強度が低い。組立式家具に軽い力を加えるだけで、組立式棚がぐらつくことがある。組立式棚は、分解、組み立てが行なえるが、組み立ては容易ではなく、通常、相当に経験のある作業員の助けがあってはじめて組み立てを完成できる。
【発明の概要】
【発明が解決しようとする課題】
【０００４】
本発明の提供する組立式家具は、上下左右にプレートを固定できる方形軸管を運用することで、無限の延伸組み立てが可能である組立式棚を提供するものとする。
【課題を解決するための手段】
【０００５】
本発明の提供する組立式家具は、少なくとも四つのプレート、少なくとも４本の方形軸管、及び少なくとも一つの収容空間を具えている。該プレートの左側端面と右側端面に、対応形態の前係止部品と後係止部品が設けられる。該方形軸管内に、前隔板と後隔板が設置され、該前隔板と該後隔板の中央に、それぞれネジ孔が設置されている。該前隔板のネジ孔には前固定部品が螺合され、該前固定部品は該方形軸管の前端開口を封じる。該後隔板のネジ孔には後固定部品が螺合され、該後固定部品は該方形軸管の後端開口を封じることができる。該方形軸管の内部の、該前隔板の前方の空間は、第１取り付け室とされ、該第１取り付け室の四つの周壁には、上下左右が相互に対応する形態で、それぞれ穿孔が設けられ、上下左右のプレートの対応する前係止部品を貫通させる。該方形軸管内部の、該後隔板の後方の空間は、第２取り付け室とされ、該第２取り付け室の四つの周壁には、上下左右が相互に対応する形態で、それぞれ穿孔が設けられ、上下左右のプレートの対応する後係止部品を貫通させる。該前固定部品と該後固定部品にはそれぞれ上下左右の四つのＵ形係止片が設置され、これによりそれぞれ該上下左右のプレートの前係止部品と後係止部品を締めつけ、各プレートと該方形軸管を緊密に連結する。
【０００６】
前述の四つのプレートと四つの方形軸管が構成する収容空間は、さらに少なくとも一つの背板を包含し、該背板は上述の収容空間の後方開口を封じる。該背板の内面の四つの隅部に接近するところに、それぞれＬ形位置決めブロックが固定される。該背板は該四つのＬ形位置決めブロックにより該収容空間の四つの隅部の内壁面に当接し位置決めされる。前述の後固定部品に設置された後蓋板は、その四つの隅部にそれぞれ凹口が設けられる。前述の背板の四つの隅部はそれぞれ対応する後固定部品の後蓋板の凹口内に挿入され、各該後蓋板の、該背板の四つの隅部に対する制圧を受け、該背板を固定する。
【０００７】
該収容空間内に、さらに左側プレートに平らに当接する左取り付け板と、右側プレートに平らに当接する右取り付け板が増設されている。該左取り付け板と右取り付け板上に、選択的に引き出しレールが取り付けられるか、或いは、ドア用の枢接部品が取り付けられる。
【０００８】
該背板の内面の各一つのＬ形位置決めブロックに、該収容空間の両側のプレートに平行な凸片が設けられる。該凸片と左側プレート或いは右側プレートの間の間隙に、該左取り付け板或いは右取り付け板を挿入し位置決めできる。また、四つの位置決めピンが、それぞれ凸片上に設けられた穿孔をとおり、該左取り付け板と該右取り付け板の対応する凹孔内に挿入され、該左取り付け板と該右取り付け板の移動が防止される。該左取り付け板の前端と該右取り付け板の前端の間に、支持ロッドが架設され、該左取り付け板の前端と該右取り付け板の前端との間の距離が変動しないものとされる。
【発明の効果】
【０００９】
総合すると、本発明に記載の組立式家具の構成は、確実に無限に組み立てを延伸できるシステム棚を達成でき、且つ緊密に強固に連結でき、強固で耐用性のある組立式家具を提供する。
【図面の簡単な説明】
【００１０】
【図１】本発明の組立式家具の組み合わせ図である。
【図２】本発明のプレートの構造図である。
【図３】本発明の係止部品をパネルへの嵌め込みの表示図である。
【図４】本発明の係止部品をパネルへの嵌め込みの断面表示図である。
【図５】本発明の方形軸管と前固定部品と後固定部品の分解図である。
【図６】本発明の方形軸管と前固定部品と後固定部品の組み合わせ表示図である。
【図７】本発明の方形軸管の、前隔板と後隔板の分解図である。
【図８】本発明の方形軸管とパネルの組み合わせ前の表示図である。
【図９】本発明の係止部品の方形軸管の穿孔への嵌め込みを利用した組み合わせ表示図である。
【図１０】本発明の前固定部品の組み合わせ断面図である。
【図１１】本発明の後固定部品と第１取り付け室の組み合わせ構造図である。
【図１２】本発明の後固定部品と第１取り付け室の組み合わせ分解図である。
【図１３】本発明の背板とＬ形位置決めブロックの組み合わせ図である。
【図１４】本発明のＬ形位置決めブロックの収容空間への取り付けの表示図である。
【図１５】本発明のドア設置構造の表示図である。
【図１６】本発明の左取り付け板と右取り付け板の構造分解図である。
【図１７】本発明の左取り付け板と右取り付け板の組み合わせ図である。
【図１８】本発明の引き出しレール設置の構造図である。
【図１９】本発明のＬ形位置決めブロックを右取り付け板に嵌合する組み合わせ図である。
【図２０】本発明のドアと引き出し設置の組み合わせ表示図である。
【図２１】本発明の前固定部品の分解図である。
【図２２】本発明の後固定部品の分解図である。
【発明を実施するための形態】
【００１１】
図１を参照されたい。それは、本発明の組立式家具の一つの実施例を示す。図示される棚は、９本の方形軸管１０、１２個のプレート２０、４個の背板３０を包含する。該棚は、４個の収容空間１を包含する。該収容空間１は、４個の隅部に設置された４本の方形軸管１０、及び４個の方形軸管１０の間に設置された４個のプレート２０により内部に局限された方形空間である。
【００１２】
さらに、図２を参照されたい。そのうち、プレート２０の左側端面と右側端面に、対応する形態を以て、それぞれ前係止部品２１と後係止部品２２が設けられる。各前係止部品２１と各後係止部品２２に、それぞれ環状溝２１１、２２１が設けられ、該環状溝２１１、２２１の外端に頭部２１２、２２２が形成されている。また、図３、４に示されるように、該プレート２０の前係止部品２１と後係止部品２２の、プレート２０に埋め込まれる部分に、タッピンネジ２１３、２２３があり、且つ外径は、内から外に漸増する。該前係止部品２１と後係止部品２２がそれぞれ強制的に、該プレート２０に設けられた所定深さの孔２３内にねじ込まれ、該プレート２０上に固定される。
【００１３】
さらに、図５〜図７に示されるのは、方形軸管１０内に、前隔板１１と後隔板１２が設けられ、該前隔板１１と該後隔板の中央にそれぞれネジ孔１１１が設置される。該前隔板１１のネジ孔１１１が、前固定部品１３に螺接されることで、該前固定部品１３が該方形軸管１０の前端開口を封じることができる。該後隔板１２のネジ孔１２１が、該後固定部品１４に螺接されることで、該後固定部品１４が該方形軸管１０の後端開口を閉じることができる。該方形軸管１０内部の、該前隔板１１の前方の空間は、第１取り付け室１５とされる。該方形軸管１０内部の、該後隔板１２の後方の空間は、第２取り付け室１６とされる。
【００１４】
さらに、図８、図９に示されるように、該第１取り付け室１５の４個の周壁は、上下左右が相互に対応する形態で、それぞれに穿孔１５１が設けられ、対応する上下左右のプレート２０の前係止部品２１を貫通させる。該第２取り付け室１６の４個の周壁は、上下左右が相互に対応する形態で、それぞれに穿孔１６１が設けられ、対応する上下左右のプレート２０の後係止部品２２を貫通させる。
【００１５】
また、図１０に示されるように、該前固定部品１３は、該方形軸管１０の前端開口を封じることができる前蓋板１３１、該前蓋板１３１を貫通するネジ釘１３２を包含する。該前蓋板１３１の内側面には、上下左右の４個のＵ形係止片１３３が設置されている。該前固定部品１３のネジ釘１３２は、該方形軸管１０内の前隔板１１のネジ孔１１１内にねじ込まれて、該方形軸管１０と結合できる。該前蓋板１３１が該方形軸管１０の前端開口を封じると同時に、該前蓋板１３１の内側面の４個のＵ形係止片１３３がそれぞれ該上下左右のプレート２０の前係止部品２１の環状溝２１１内に嵌入し、各前係止部品２１を締めつける（図４も併せて参照されたい）。
【００１６】
また、図１０に示されるように、該後固定部品１４は、該方形軸管１０の後端開口を封じることができる後蓋板１４１、該後蓋板１４１を貫通するネジ釘１４２を包含する。該後蓋板１４１の内側面には、上下左右の４個のＵ形係止片１４３が設置されている。該後固定部品１４のネジ釘１４２は、該方形軸管１０内の後隔板１２のネジ孔１２１内にねじ込まれて、該方形軸管１０と結合できる。該後蓋板１４１が該方形軸管１０の後端開口を封じると同時に、該後蓋板１４１の内側面の４個のＵ形係止片１４３がそれぞれ該上下左右のプレート２０の後係止部品２２の環状溝２２１内に嵌入し、各後係止部品２２を締めつける（図４も併せて参照されたい）。該前固定部品１３と該後固定部品１４がそれぞれ該プレート２０の前係止部品２１と後係止部品２２を締めつけることで、該方形軸管１０と該プレート２０を緊密に結合させる。また、前固定部品１３と後固定部品１４の前蓋板１３１と後蓋板１４１内面の４個のＵ形係止片１３３、１４３が相互に接続されて一体となり、各Ｕ形係止片１３３、１４３の強度を増す。
【００１７】
総合すると、前述の各構成部品の組み合わせにより、該方形軸管１０と接続されるプレート２０の間は、面と面の緊密接合とされ、これにより、本発明により組み立て完成した組立式家具は、構造が強固で、ぐらつかない。
【００１８】
また、前述の方形軸管１０とプレート２０の間の結合機構は、第１取り付け室１５と第２取り付け室１６にあって連結を完成する。これにより、該方形軸管１０の、前隔板１１と後隔板１２の間の部分は、破口を有する非管状とされ得る。図７を参照されたい。該方形軸管１０はまたプラスチック射出成形され得て、且つ該方形軸管１０上に、金属製の該前隔板１１と金属製の後隔板１２がそれぞれ挿入位置決めされる二つの嵌め溝１１２、１２２が設けられ、これにより、該前固定部品１３のネジ釘１３２と前隔板１１の連結後の強度、及び、該後固定部品１４のネジ釘１４２と後隔板１２連結後の強度が良好となる。
【００１９】
図１３を参照されたい。図中に示される各一つの収容空間１の後端は、一つの背板３０で、該収容空間１の後方開口が閉じられる。該背板３０の内面の、四つの隅部に近いところに、それぞれＬ形位置決めブロック３１が固定されるか、或いは該背板３０と該Ｌ形位置決めブロック３１はプラスチックで射出一体成形され、該背板３０は、四つの該Ｌ形位置決めブロック３１がそれぞれ該収容空間１の四つの隅部の内壁面に当接させられることで、位置決めされる。図１１、１２を参照されたい。図示されるように、該後固定部品１４の後蓋板１４１の四つの隅部には、それぞれ凹口１４７が設置されている。上述の背板３０の四つの隅部は、ちょうど対応する四つの後固定部品１４の後蓋板１４１の凹口１４７内に挿入され、該四つの後固定部品１４の後蓋板１４１は該背板３０の４つの隅部に対して制圧し、該背板３０を固定する。すなわち、該後固定部品１４が該プレート２０の後係止部品２２を締めつける時、同時に該背板３０の一つの隅部を固定する。
【００２０】
図１５〜図１７に示されるように、各一つの収容空間１内にさらに、左側プレート２０に平らに当接する左取り付け板４０と、右側プレート２０に平らに当接する右取り付け板５０が増設されている。該左取り付け板４０と右取り付け板５０上に、選択的に引き出しレール７１が取り付けられ（図１８参照）るか、或いは、ドア６０用の枢接部品６１（図１５参照）が取り付けられる（図１５参照）。また、図１３に示されるように、該背板３０の内面の各一つのＬ形位置決めブロック３１それぞれに、該収容空間１の両側のプレートに平行な凸片３２が設けられ、該収容空間１の左側プレート２０に当接するＬ形位置決めブロック３１上の凸片３２と、該左側プレート２０の間の間隙は、ちょうど、該左取り付け板４０を挿入し位置決めすることができる。図１９に示されるように、該収容空間１の右側プレート２０に当接するＬ形位置決めブロック３１上の凸片３２と該右側プレート２０の間の間隙は、ちょうど該右取り付け板５０を挿入して位置決めできる。四つの位置決めピン３３が、それぞれ４つの凸片３２上に設けられた穿孔３２１をとおり、該左取り付け板４０と該右取り付け板５０の対応する凹孔４１、５１（図１６参照）内に挿入され、該左取り付け板４０と該右取り付け板５０の移動が防止される。
【００２１】
図１６に示されるように、該左取り付け板４０の前端と該右取り付け板５０の前端の間に、支持ロッド８０が架設され、該左取り付け板４０の前端と該右取り付け板５０の前端との間の距離が変動しないものとされる。該左取り付け板４０と該右取り付け板５０の上端は、対応形態を以て、それぞれ凹口４２、５２が設けられる。該支持ロッド８０の両端にはそれぞれ凸部８１、８２が設けられ、これら二つの凸部８１、８２はそれぞれ該左取り付け板４０と右取り付け板５０の上端の凹口４２、５２内に導入される。該支持ロッド８０の上面は、該収容空間１の上プレート２０に当接し、且つその前端は該左取り付け板４０、右取り付け板５０の前端と揃っている。すなわち、該支持ロッド８０と該左取り付け板４０（或いは右取り付け板５０）は、ドア６０あるいは引き出し７０を閉じるとき（図２０を参照されたい）、ストッパの作用を有する。
【００２２】
図１５には、右取り付け板５０にドア６０を取り付けるための枢接部品６１が示されている。実際には、左取り付け板４０にドア６０を取り付けるための枢接部品６１を選択することもできる。該右取り付け板５０の上面と底面の前端に、切欠き５３、５４が設けられて、該枢接部品６１を取り付けることができる。二つの該枢接部品６１には、それぞれ凸軸６２が設けられ、これら二つの凸軸６２は、該ドア６０の上面と底面に設けられた凹孔６３（底面の凹孔は図示されていない）にそれぞれ挿入され、これにより、該ドア６０がこれら二つの凸軸６２を中心として回転する。
【００２３】
図１８を参照されたい。そのうち、該左取り付け板４０と右取り付け板５０上には引き出しレール７１が取り付けられ、収容空間内に引き出し７０が設置される（図２０参照）。
【００２４】
また図２１、２２に示されるように、該前固定部品１３と後固定部品１４のネジ釘１３２、１４２の頭部は、内六角孔を有する。該前固定部品１３と後固定部品１４の蓋板中央には、ネジ釘を貫通させるため魚眼孔１３４、１４４が設けられ、これにより、ネジ釘１３２、１４２の頭部が魚眼孔１３４、１４４内に隠される。すなわち、該ネジ釘１３２、１４２の頭部が該前蓋板１３１あるいは後蓋板１４１外に突出することがなく、外観がよくなる。該前固定部品１３と後固定部品１４のネジ釘１３２、１４２は、対応する前蓋板１３１と後蓋板１４１を貫通した後、それぞれ内径がネジ釘１３２、１４２の外径とほぼ同じ脱落防止リング１３５、１４５が嵌合され、且つ該ネジ釘の軸に少なくとも一つの凸点１３６、１４６が凸設され、これにより脱落防止リング１３５、１４５の脱落が防止される。こうして、使用者にとって、該前固定部品１３と後固定部品１４の固定に便利となる。
【００２５】
総合すると、本発明に記載の組立式家具の構成は、確実に無限に組み立てを延伸できるシステム棚を達成でき、且つ緊密に強固に連結でき、強固で耐用性のある組立式家具を提供する。
【００２６】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００２７】
１  収容空間
１０  方形軸管
１１  前隔板
１１１  ネジ孔
１１２  嵌め溝
１２  後隔板
１２１  ネジ孔
１２２  嵌め溝
１３  前固定部品
１３１  前蓋板
１３２  ネジ釘
１３３  Ｕ形係止片
１３４  魚眼孔
１３５  脱落防止リング
１３６  凸点
１４  後固定部品
１４１  後蓋板
１４２  ネジ釘
１４３  Ｕ形係止片
１４４  魚眼孔
１４５  脱落防止リング
１４６  凸点
１４７  凹口
１５  第１取り付け室
１５１  穿孔
１６  第２取り付け室
１６１  穿孔
２０  プレート
２１  前係止部品
２１１  環状溝
２１２  頭部
２１３  タッピンネジ
２２  後係止部品
２２１  環状溝
２２２  頭部
２２３  タッピンネジ
２３  孔
３０  背板
３１  Ｌ形位置決めブロック
３２  凸片
３２１  穿孔
３３  位置決めピン
４０  左取り付け板
４１  凹孔
４２  凹口
５０  右取り付け板
５１  凹孔
５２  凹口
５３、５４  切欠き
６０  ドア
６１  枢接部品
６２  凸軸
６３  凹孔
７０  引き出し
７１  引き出しレール
８０  支持ロッド
８１、８２  凸部
【図１】
2015100698.tif 000003
【図２】
2015100698.tif 000004
【図３】
2015100698.tif 000005
【図４】
2015100698.tif 000006
【図５】
2015100698.tif 000007
【図６】
2015100698.tif 000008
【図７】
2015100698.tif 000009
【図８】
2015100698.tif 000010
【図９】
2015100698.tif 000011
【図１０】
2015100698.tif 000012
【図１１】
2015100698.tif 000013
【図１２】
2015100698.tif 000014
【図１３】
2015100698.tif 000015
【図１４】
2015100698.tif 000016
【図１５】
2015100698.tif 000017
【図１６】
2015100698.tif 000018
【図１７】
2015100698.tif 000019
【図１８】
2015100698.tif 000020
【図１９】
2015100698.tif 000021
【図２０】
2015100698.tif 000022
【図２１】
2015100698.tif 000023
【図２２】
2015100698.tif 000024